【手続補正書】
【提出日】平成30年4月5日(2018.4.5)
【手続補正１】
【補正対象書類名】特許請求の範囲
【補正対象項目名】全文
【補正方法】変更
【補正の内容】
【特許請求の範囲】
【請求項１】
携帯端末、および読取装置と通信可能な情報処理装置であって、
前記携帯端末に識別情報を送信する送信手段と、
前記読取装置から送信される識別情報を受信する識別情報受信手段と、
前記識別情報受信手段で受信した前記識別情報と前記送信手段で前記携帯端末に送信した前記識別情報が一致することを条件に、前記識別情報を送信した携帯端末にドアを開錠するための情報を送信する情報送信手段と
を備えることを特徴とする情報処理装置。
【請求項２】
前記識別情報を使用可能な期間の情報を記憶する記憶手段を備え、
前記情報送信手段は、前記識別情報受信手段で受信した前記識別情報と前記送信手段で前記携帯端末に送信した前記識別情報とが一致し、かつ前記記憶手段に記憶されている期間に、前記識別情報受信手段で前記識別情報を受信することを条件に、前記ドアを開錠するための情報を前記携帯端末に送信することを特徴とする請求項１に記載の情報処理装置。
【請求項３】
前記情報送信手段で送信したドアを開錠するための情報に従って前記携帯端末から送信される前記ドアの開錠依頼を受信する開錠依頼受信手段を備え、
前記記憶手段は、前記送信手段により前記携帯端末に送信した識別情報を記憶し、
前記情報送信手段は、前記識別情報受信手段で受信した前記識別情報と前記記憶手段で記憶する前記識別情報が一致することを条件に、前記ドアを開錠するための情報を前記携帯端末に送信し、
前記開錠依頼受信手段により開錠依頼を受信することを条件に、前記記憶手段で記憶する前記携帯端末に送信した前記識別情報を削除する削除手段を備えること
を特徴とする請求項２に記載の情報処理装置。
【請求項４】
前記識別情報には、１次元コード、または２次元コードの少なくともいずれか一方を含むことを特徴とする請求項１乃至３のいずれか１項に記載の情報処理装置。
【請求項５】
前記読取装置は、前記ドアの近傍に設けられた読取装置であることを特徴とする請求項１乃至４のいずれか１項に記載の情報処理装置。
【請求項６】
携帯端末と、読取装置と通信可能な情報処理装置であって、
ドアを開錠するための情報を送信するユーザの顔画像と、当該ユーザの携帯端末を特定可能な特定情報とを記憶する記憶手段と、
前記読取装置から送信される顔画像を受信する顔画像受信手段と、
前記顔画像受信手段で受信した前記顔画像と、前記記憶手段で記憶する前記ユーザの顔画像とを用いて、前記顔画像受信手段で受信した前記顔画像に映る人物が前記ユーザであるかを判断する判断手段と、
前記判断手段により、前記ユーザであると判断されることを条件に、前記特定情報によって特定される前記ユーザが使用する前記携帯端末に前記ドアを開錠するための情報を送信する送信手段と
を備えることを特徴とする情報処理装置。
【請求項７】
前記読取装置は、前記ドアの近傍に設けられることを特徴とする請求項６に記載の情報処理装置。
【請求項８】
情報処理装置と通信可能な携帯端末であって、
前記情報処理装置から送信される識別情報を受信する受信手段と、
前記受信手段で受信した前記識別情報を表示する表示手段と、
前記表示手段により表示した前記識別情報を識別情報読取装置が読み取ることで、当該識別情報読取装置から前記情報処理装置に送信される識別情報と、前記受信手段で受信した前記識別情報とが一致することを条件に前記情報処理装置から送信されるドアを開錠するための情報を受信する情報受信手段と
を備えることを特徴とする携帯端末。
【請求項９】
前記ドアを開錠するための情報とは、リンク情報であり、
前記情報受信手段で受信したリンク先にアクセスし、当該リンク先から前記ドアの開錠依頼を前記情報処理装置に送信する開錠依頼送信手段を備えることを特徴とする請求項８に記載の携帯端末。
【請求項１０】
情報処理装置と通信可能な携帯端末であって、
前記情報処理装置が記憶する、ドアを開錠するための情報の送信対象であるユーザの顔画像と、読取装置が取得した顔画像とを用いることで、前記読取装置が取得した前記顔画像に映る人物が前記ユーザであると特定されることを条件に前記情報処理装置から送信される前記ドアを開錠するための情報を受信する受信手段と、
前記受信手段で受信した前記ドアを開錠するための情報を表示する表示手段と
を備えることを特徴とする携帯端末。
【請求項１１】
携帯端末と、読取装置と、情報処理装置とを含む情報処理システムであって、
前記情報処理装置は、
前記携帯端末に識別情報を送信する送信手段と、
前記読取装置から送信される識別情報を受信する識別情報受信手段と、
前記識別情報受信手段で受信した前記識別情報と前記送信手段で前記携帯端末に送信した前記識別情報が一致することを条件に、前記識別情報を送信した携帯端末にドアを開錠するための情報を送信する情報送信手段と
を備え、
前記携帯端末は、
前記送信手段により前記情報処理装置から送信される前記識別情報を受信する受信手段と、
前記受信手段で受信した前記識別情報を表示する表示手段と、
前記情報送信手段により前記情報処理装置から送信される前記ドアを開錠するための情報を受信する情報受信手段と
を備え、
前記読取装置は、
前記携帯端末に表示される前記識別情報を読み取る読取手段と、
前記読取手段により読み取った前記識別情報を前記情報処理装置に送信する識別情報送信手段を備えること
を特徴とする情報処理システム。
【請求項１２】
携帯端末と、読取装置と、情報処理装置とを含む情報処理システムであって、
前記読取装置は、
ユーザの顔画像を取得する取得手段と、
前記取得手段で取得した顔画像を、前記情報処理装置に送信する顔画像送信手段と
を備え、
前記情報処理装置は、
ドアを開錠するための情報を送信するユーザの顔画像と、当該ユーザの携帯端末を特定可能な特定情報とを記憶する記憶手段と、
前記顔画像送信手段で前記読取装置から送信される前記顔画像を受信する顔画像受信手段と、
前記顔画像受信手段で受信した前記顔画像と、前記記憶手段で記憶する前記ユーザの顔画像とを用いて、前記前記顔画像受信手段で受信した前記顔画像に映る人物が前記ユーザであるかを判断する判断手段と、
前記判断手段により、前記ユーザであると判断されることを条件に、前記特定情報によって特定される前記ユーザの前記携帯端末に前記ドアを開錠するための情報を送信する送信手段と
を備え、
前記携帯端末は、
前記情報処理装置から送信される前記ドアを開錠するための情報を受信する識別情報受信手段と、
前記識別情報受信手段で受信した前記ドアを開錠するための情報を表示する表示手段と
を備えることを特徴とする情報処理システム。
【請求項１３】
携帯端末、および読取装置と通信可能な情報処理装置の制御方法であって、
前記携帯端末に識別情報を送信する送信工程と、
前記読取装置から送信される識別情報を受信する識別情報受信工程と、
前記識別情報受信工程で受信した前記識別情報と前記送信工程で前記携帯端末に送信した前記識別情報が一致することを条件に、前記識別情報を送信した携帯端末にドアを開錠するための情報を送信する情報送信工程と
を備えることを特徴とする情報処理装置の制御方法。
【請求項１４】
携帯端末と、読取装置と通信可能であり、ドアを開錠するための情報を送信するユーザの顔画像と、当該ユーザの携帯端末を特定可能な特定情報とを記憶する記憶手段を備える情報処理装置の制御方法であって、
前記読取装置から送信される顔画像を受信する顔画像受信工程と、
前記顔画像受信工程で受信した前記顔画像と、前記記憶手段で記憶する前記ユーザの顔画像とを用いて、前記顔画像受信工程で受信した前記顔画像に映る人物が前記ユーザであるかを判断する判断工程と、
前記判断工程で、前記ユーザであると判断されることを条件に、前記特定情報によって特定される前記ユーザが使用する前記携帯端末に前記ドアを開錠するための情報を送信する送信工程と
を備えることを特徴とする情報処理装置の制御方法。
【請求項１５】
情報処理装置と通信可能な携帯端末の制御方法であって、
前記情報処理装置から送信される識別情報を受信する受信工程と、
前記受信工程で受信した前記識別情報を表示する表示工程と、
前記表示工程により表示した前記識別情報を識別情報読取装置が読み取ることで、当該識別情報読取装置から前記情報処理装置に送信される識別情報と、前記受信工程で受信した前記識別情報とが一致することを条件に前記情報処理装置から送信されるドアを開錠するための情報を受信する情報受信工程と
を備えることを特徴とする携帯端末の制御方法。
【請求項１６】
情報処理装置と通信可能な携帯端末の制御方法であって、
前記情報処理装置が記憶する、ドアを開錠するための情報の送信対象であるユーザの顔画像と、読取装置が取得した顔画像とを用いることで、前記読取装置が取得した前記顔画像に映る人物が前記ユーザであると特定されることを条件に前記情報処理装置から送信される前記ドアを開錠するための情報を受信する受信工程と、
前記受信工程で受信した前記ドアを開錠するための情報を表示する表示工程と
を備えることを特徴とする携帯端末の制御方法。
【請求項１７】
携帯端末と、読取装置と、情報処理装置とを含む情報処理システムの制御方法であって、
前記情報処理装置は、
前記携帯端末に識別情報を送信する送信工程と、
前記読取装置から送信される識別情報を受信する識別情報受信工程と、
前記識別情報受信工程で受信した前記識別情報と前記送信工程で前記携帯端末に送信した前記識別情報が一致することを条件に、前記識別情報を送信した携帯端末にドアを開錠するための情報を送信する情報送信工程と
を備え、
前記携帯端末は、
前記送信工程で、前記情報処理装置から送信される前記識別情報を受信する受信工程と、
前記受信工程で受信した前記識別情報を表示する表示工程と、
前記情報送信工程で前記情報処理装置から送信される前記ドアを開錠するための情報を受信する情報受信工程と
を備え、
前記読取装置は、
前記携帯端末に表示される前記識別情報を読み取る読取工程と、
前記読取工程で読み取った前記識別情報を前記情報処理装置に送信する識別情報送信工程を備えること
を特徴とする情報処理システムの制御方法。
【請求項１８】
携帯端末と、読取装置と、ドアを開錠するための情報を送信するユーザの顔画像と、当該ユーザの携帯端末を特定可能な特定情報とを記憶する記憶手段を備える情報処理装置とを含む情報処理システムの制御方法であって、
前記読取装置は、
ユーザの顔画像を取得する取得工程と、
前記取得工程で取得した顔画像を、前記情報処理装置に送信する顔画像送信工程と
を備え、
前記情報処理装置は、
前記顔画像送信工程で前記読取装置から送信される前記顔画像を受信する顔画像受信工程と、
前記顔画像受信工程で受信した前記顔画像と、前記記憶手段で記憶する前記ユーザの顔画像とを用いて、前記前記顔画像受信工程で受信した前記顔画像に映る人物が前記ユーザであるかを判断する判断工程と、
前記判断工程で、前記ユーザであると判断されることを条件に、前記特定情報によって特定される前記ユーザの前記携帯端末に前記ドアを開錠するための情報を送信する送信工程と
を備え、
前記携帯端末は、
前記情報処理装置から送信される前記ドアを開錠するための情報を受信する識別情報受信工程と、
前記識別情報受信工程で受信した前記ドアを開錠するための情報を表示する表示工程と
を備えることを特徴とする情報処理システムの制御方法。
【請求項１９】
コンピュータを、請求項１乃至７のいずれか１項に記載の情報処理装置の各手段として機能させるためのコンピュータプログラム。
【請求項２０】
コンピュータを、請求項８乃至１０のいずれか１項に記載の携帯端末の各手段として機能させるためのコンピュータプログラム。
【請求項２１】
コンピュータを、請求項１１または請求項１２に記載の情報処理システムに含まれる携帯端末、または情報処理装置の各手段として機能させるためのコンピュータプログラム。
【手続補正２】
【補正対象書類名】明細書
【補正対象項目名】発明の名称
【補正方法】変更
【補正の内容】
【発明の名称】情報処理装置、情報処理装置の制御方法、携帯端末、携帯端末の制御方法、情報処理システム、情報処理システムの制御方法、及びプログラム
【手続補正３】
【補正対象書類名】明細書
【補正対象項目名】０００１
【補正方法】変更
【補正の内容】
【０００１】
本発明は、情報処理装置、情報処理装置の制御方法、携帯端末、携帯端末の制御方法、情報処理システム、情報処理システムの制御方法、及びプログラムに関し、特に、ドアを開錠するための識別情報が不正利用されるリスクを低減可能な仕組みに関する。
【手続補正４】
【補正対象書類名】明細書
【補正対象項目名】００１０
【補正方法】変更
【補正の内容】
【００１０】
本発明は、携帯端末、および読取装置と通信可能な情報処理装置であって、前記携帯端末に識別情報を送信する送信手段と、前記読取装置から送信される識別情報を受信する識別情報受信手段と、前記識別情報受信手段で受信した前記識別情報と前記送信手段で前記携帯端末に送信した前記識別情報が一致することを条件に、前記識別情報を送信した携帯端末にドアを開錠するための情報を送信する情報送信手段とを備えることを特徴とする。また、本発明は、携帯端末と、読取装置と通信可能な情報処理装置であって、ドアを開錠するための情報を送信するユーザの顔画像と、当該ユーザの携帯端末を特定可能な特定情報とを記憶する記憶手段と、前記読取装置から送信される顔画像を受信する顔画像受信手段と、前記顔画像受信手段で受信した前記顔画像と、前記記憶手段で記憶する前記ユーザの顔画像とを用いて、前記顔画像受信手段で受信した前記顔画像に映る人物が前記ユーザであるかを判断する判断手段と、前記判断手段により、前記ユーザであると判断されることを条件に、前記特定情報によって特定される前記ユーザが使用する前記携帯端末に前記ドアを開錠するための情報を送信する送信手段とを備えることを特徴とする。また、本発明は、情報処理装置と通信可能な携帯端末であって、前記情報処理装置から送信される識別情報を受信する受信手段と、前記受信手段で受信した前記識別情報を表示する表示手段と、前記表示手段により表示した前記識別情報を識別情報読取装置が読み取ることで、当該識別情報読取装置から前記情報処理装置に送信される識別情報と、前記受信手段で受信した前記識別情報とが一致することを条件に前記情報処理装置から送信されるドアを開錠するための情報を受信する情報受信手段とを備えることを特徴とする。また、本発明は、情報処理装置と通信可能な携帯端末であって、前記情報処理装置が記憶する、ドアを開錠するための情報の送信対象であるユーザの顔画像と、読取装置が取得した顔画像とを用いることで、前記読取装置が取得した前記顔画像に映る人物が前記ユーザであると特定されることを条件に前記情報処理装置から送信される前記ドアを開錠するための情報を受信する受信手段と、前記受信手段で受信した前記ドアを開錠するための情報を表示する表示手段とを備えることを特徴とする。また、本発明は、携帯端末と、読取装置と、情報処理装置とを含む情報処理システムであって、前記情報処理装置は、前記携帯端末に識別情報を送信する送信手段と、前記読取装置から送信される識別情報を受信する識別情報受信手段と、前記識別情報受信手段で受信した前記識別情報と前記送信手段で前記携帯端末に送信した前記識別情報が一致することを条件に、前記識別情報を送信した携帯端末にドアを開錠するための情報を送信する情報送信手段とを備え、前記携帯端末は、前記送信手段により前記情報処理装置から送信される前記識別情報を受信する受信手段と、前記受信手段で受信した前記識別情報を表示する表示手段と、前記情報送信手段により前記情報処理装置から送信される前記ドアを開錠するための情報を受信する情報受信手段とを備え、前記読取装置は、前記携帯端末に表示される前記識別情報を読み取る読取手段と、前記読取手段により読み取った前記識別情報を前記情報処理装置に送信する識別情報送信手段を備えることを特徴とする。また、本発明は、携帯端末と、読取装置と、情報処理装置とを含む情報処理システムであって、前記読取装置は、ユーザの顔画像を取得する取得手段と、前記取得手段で取得した顔画像を、前記情報処理装置に送信する顔画像送信手段とを備え、前記情報処理装置は、ドアを開錠するための情報を送信するユーザの顔画像と、当該ユーザの携帯端末を特定可能な特定情報とを記憶する記憶手段と、前記顔画像送信手段で前記読取装置から送信される前記顔画像を受信する顔画像受信手段と、前記顔画像受信手段で受信した前記顔画像と、前記記憶手段で記憶する前記ユーザの顔画像とを用いて、前記前記顔画像受信手段で受信した前記顔画像に映る人物が前記ユーザであるかを判断する判断手段と、前記判断手段により、前記ユーザであると判断されることを条件に、前記特定情報によって特定される前記ユーザの前記携帯端末に前記ドアを開錠するための情報を送信する送信手段とを備え、前記携帯端末は、前記情報処理装置から送信される前記ドアを開錠するための情報を受信する識別情報受信手段と、前記識別情報受信手段で受信した前記ドアを開錠するための情報を表示する表示手段とを備えることを特徴とする。
【手続補正５】
【補正対象書類名】明細書
【補正対象項目名】００１１
【補正方法】変更
【補正の内容】
【００１１】
また、本発明は、携帯端末、および読取装置と通信可能な情報処理装置の制御方法であって、前記携帯端末に識別情報を送信する送信工程と、前記読取装置から送信される識別情報を受信する識別情報受信工程と、前記識別情報受信工程で受信した前記識別情報と前記送信工程で前記携帯端末に送信した前記識別情報が一致することを条件に、前記識別情報を送信した携帯端末にドアを開錠するための情報を送信する情報送信工程とを備えることを特徴とする。また、本発明は、携帯端末と、読取装置と通信可能であり、ドアを開錠するための情報を送信するユーザの顔画像と、当該ユーザの携帯端末を特定可能な特定情報とを記憶する記憶手段を備える情報処理装置の制御方法であって、前記読取装置から送信される顔画像を受信する顔画像受信工程と、前記顔画像受信工程で受信した前記顔画像と、前記記憶手段で記憶する前記ユーザの顔画像とを用いて、前記顔画像受信工程で受信した前記顔画像に映る人物が前記ユーザであるかを判断する判断工程と、前記判断工程で、前記ユーザであると判断されることを条件に、前記特定情報によって特定される前記ユーザが使用する前記携帯端末に前記ドアを開錠するための情報を送信する送信工程とを備えることを特徴とする。また、本発明は、情報処理装置と通信可能な携帯端末の制御方法であって、前記情報処理装置から送信される識別情報を受信する受信工程と、前記受信工程で受信した前記識別情報を表示する表示工程と、前記表示工程により表示した前記識別情報を識別情報読取装置が読み取ることで、当該識別情報読取装置から前記情報処理装置に送信される識別情報と、前記受信工程で受信した前記識別情報とが一致することを条件に前記情報処理装置から送信されるドアを開錠するための情報を受信する情報受信工程とを備えることを特徴とする。また、本発明は、情報処理装置と通信可能な携帯端末の制御方法であって、前記情報処理装置が記憶する、ドアを開錠するための情報の送信対象であるユーザの顔画像と、読取装置が取得した顔画像とを用いることで、前記読取装置が取得した前記顔画像に映る人物が前記ユーザであると特定されることを条件に前記情報処理装置から送信される前記ドアを開錠するための情報を受信する受信工程と、前記受信工程で受信した前記ドアを開錠するための情報を表示する表示工程とを備えることを特徴とする。また、本発明は、携帯端末と、読取装置と、情報処理装置とを含む情報処理システムの制御方法であって、前記情報処理装置は、前記携帯端末に識別情報を送信する送信工程と、前記読取装置から送信される識別情報を受信する識別情報受信工程と、前記識別情報受信工程で受信した前記識別情報と前記送信工程で前記携帯端末に送信した前記識別情報が一致することを条件に、前記識別情報を送信した携帯端末にドアを開錠するための情報を送信する情報送信工程とを備え、前記携帯端末は、前記送信工程で、前記情報処理装置から送信される前記識別情報を受信する受信工程と、前記受信工程で受信した前記識別情報を表示する表示工程と、前記情報送信工程で前記情報処理装置から送信される前記ドアを開錠するための情報を受信する情報受信工程とを備え、前記読取装置は、前記携帯端末に表示される前記識別情報を読み取る読取工程と、前記読取工程で読み取った前記識別情報を前記情報処理装置に送信する識別情報送信工程を備えることを特徴とする。また、本発明は、携帯端末と、読取装置と、ドアを開錠するための情報を送信するユーザの顔画像と、当該ユーザの携帯端末を特定可能な特定情報とを記憶する記憶手段を備える情報処理装置とを含む情報処理システムの制御方法であって、前記読取装置は、ユーザの顔画像を取得する取得工程と、前記取得工程で取得した顔画像を、前記情報処理装置に送信する顔画像送信工程とを備え、前記情報処理装置は、前記顔画像送信工程で前記読取装置から送信される前記顔画像を受信する顔画像受信工程と、前記顔画像受信工程で受信した前記顔画像と、前記記憶手段で記憶する前記ユーザの顔画像とを用いて、前記前記顔画像受信工程で受信した前記顔画像に映る人物が前記ユーザであるかを判断する判断工程と、前記判断工程で、前記ユーザであると判断されることを条件に、前記特定情報によって特定される前記ユーザの前記携帯端末に前記ドアを開錠するための情報を送信する送信工程とを備え、前記携帯端末は、前記情報処理装置から送信される前記ドアを開錠するための情報を受信する識別情報受信工程と、前記識別情報受信工程で受信した前記ドアを開錠するための情報を表示する表示工程とを備えることを特徴とする。
【手続補正６】
【補正対象書類名】明細書
【補正対象項目名】００１２
【補正方法】削除
【補正の内容】